(57)【要約】【課題】テレビ放送受信機の厚みを薄く出来るチューナ及びこれを用いたテレビ放送受信機を提供する。【解決手段】チューナ４は、薄板から成り、対向する２つの板面４２及び２つの板面４２の間の四方を取り囲む４つの板側面４３を有するアース板面７と、対向する接続端子面３６及びアンテナ端子面３７、並びに接続端子面３６及びアンテナ端子面３７の間の四方を取り囲む、第１面３８ないし第４面４１を有する筐体１０と、筐体１０に内包される内部回路３４と、内部回路３４と筐体１０の外部に設けられるテレビセット基板上の回路３５とを接続する接続端子８とを備えるチューナであって、アース板面７及び接続端子８は、接続端子面３６に直交して設けられ、２つの板面４２は、第１面３８ないし第４面４１の少なくとも１つと平行に設けられる。【選択図】図１
2009260655.tif 000002
【特許請求の範囲】
【請求項１】
薄板から成り、対向する２つの板面及び前記２つの板面の間の四方を取り囲む４つの板側面を有する第１の脚片と、
対向する２つの面及び前記２つの面の間の四方を取り囲む４つの側面を有する筐体と、
前記筐体に内包される内部回路と、
前記内部回路と前記筐体の外部に設けられる外部回路とを接続する入出力端子とを備えるチューナであって、
前記第１の脚片及び前記入出力端子は、前記２つの面の一方に直交して設けられ、
前記２つの板面は、前記４つの側面の少なくとも１つと平行に設けられることを特徴とするチューナ。
【請求項２】
薄板から成り、前記２つの面の一方に直交して設けられる第２の脚片を備え、
前記第１の脚片、前記入出力端子及び前記第２の脚片が直線上に並ぶことを特徴とする請求項１に記載のチューナ。
【請求項３】
前記２つの板面の１つとテレビ放送受信機の基板の接地パターンとを半田で固定することを特徴とする請求項１又は２に記載のチューナ。
【請求項４】
前記入出力端子とテレビ放送受信機の基板の各回路パターンとを半田で接続することを特徴とする請求項１又は２に記載のチューナ。
【請求項５】
前記２つの板面の１つとテレビ放送受信機の基板の接地パターンとをビスで固定することを特徴とする、請求項１又は２に記載のチューナ。
【請求項６】
テレビ放送受信機の基板の各回路パターンが、該基板に実装されたコネクタに接続され、
前記入出力端子が前記コネクタのソケットに挿入されることを特徴とする請求項１又は２に記載のチューナ。
【請求項７】
薄板から成り、前記２つの面の一方に直交して設けられる第３の脚片を備え、
前記第３の脚片と前記直線とが平行になることを特徴とする請求項２に記載のチューナ。
【請求項８】
前記第１の脚片と前記第３の脚片とが対向することを特徴とする請求項７に記載のチューナ。
【請求項９】
薄板から成り、前記２つの面の一方に直交して設けられる第４の脚片を備え、
前記第４の脚片と前記直線とが平行になることを特徴とする請求項２に記載のチューナ。
【請求項１０】
前記第２の脚片と前記第４の脚片とが対向することを特徴とする請求項９に記載のチューナ。
【請求項１１】
外部からの放送信号を入力する入力端子を更に備え、
前記入力端子は、前記４つの側面の少なくとも１つに設けられることを特徴とする請求項１又は２に記載のチューナ。
【請求項１２】
請求項１〜請求項１１の何れか１項に記載のチューナを備えることを特徴とするテレビ放送受信機。
【請求項１３】
請求項１に記載のチューナの製造方法であって、
前記第１の脚片、前記２つの面及び前記４つの側面の内２つを１枚の板から製作し、
前記第１の脚片と前記２つの面の１つとの接合面を９０度谷折りし、
前記２つの面及び前記４つの側面の内２つと、前記４つの側面の１つとの接合面を９０度山折りすることを特徴とするチューナの製造方法。
【請求項１４】
請求項２に記載のチューナの製造方法であって、
前記第２の脚片、前記２つの面及び前記４つの側面の内２つを１枚の板から製作し、
前記第２の脚片と前記２つの面の１つとの接合面を９０度谷折りし、
前記２つの面及び前記４つの側面の内２つと、前記４つの側面の１つとの接合面を９０度山折りすることを特徴とするチューナの製造方法。
【請求項１５】
請求項７に記載のチューナの製造方法であって、
前記第３の脚片、前記２つの面及び前記４つの側面の内２つを１枚の板から製作し、
前記第３の脚片と前記２つの面の１つとの接合面を９０度谷折りし、
前記２つの面及び前記４つの側面の内２つと、前記４つの側面の１つとの接合面を９０度山折りすることを特徴とするチューナの製造方法。
【請求項１６】
請求項９に記載のチューナの製造方法であって、
前記第４の脚片、前記２つの面及び前記４つの側面の内２つを１枚の板から製作し、
前記第４の脚片と前記２つの面の１つとの接合面を９０度谷折りし、
前記２つの面及び前記４つの側面の内２つと、前記４つの側面の１つとの接合面を９０度山折りすることを特徴とするチューナの製造方法。
【発明の詳細な説明】
【技術分野】
【０００１】
本発明はテレビセット基板の搭載部品の一つであり、テレビ放送受信機に用いられるチューナに関するものである。
【背景技術】
【０００２】
近年、液晶やプラズマディスプレイ等の普及により、テレビ（ＴＶ）セットの薄型化が急激に進んでいる。図１０（ａ）及び図１０（ｂ）は、従来のテレビセット基板へのチューナの実装形態を示す図面である。図１０（ａ）は、従来の薄型化されたテレビセット１０１を裏面から見た背面図であり、図１０（ｂ）は、従来の薄型化されたテレビセット１０１の一方の側面から見た側面図である。
【０００３】
テレビセット１０１は、テレビモニタ１０２、テレビセット基板１０３及びチューナ１０４を備えている。テレビモニタ１０２の画面１０５の裏側にテレビセット基板１０３が設けられ、テレビセット基板１０３の裏面１０６にチューナ１０４が設けられている。チューナ１０４には、テレビセット基板１０３へ実装する為の脚片（図示せず）が備えられており、この脚片をテレビセット基板１０３の裏面１０６に設けられた挿入孔に挿入し、接続・固定していた。
【０００４】
図１０のテレビセット１０１と同様にチューナを備えた上で薄型化を図るものとして、特許文献１では、複数の放送方式に対応して複数種（３種類）の放送信号を受信することが可能なチューナユニットを複数個、特に、薄型の放送受信装置において、小型化、薄型化して実装することが可能な技術が開示されている。また、特許文献２では、エンコーダ・デコーダユニットが実装されるプリント配線基板からチューナモジュールを分離することにより、当該チューナモジュールの実装上の制限を緩和して、当該チューナモジュールをデジタルノイズの影響を受けにくい最適な位置に配置するアナログ・テレビジョンチューナ・キャプチャユニット及び同ユニットを有する情報処理装置が開示されている。さらに、特許文献３では、薄型化を図るチューナユニット及びこのチューナユニットを備えた受信装置が開示されている。
【特許文献１】特開２００７−２８８５４９号公報（２００７年１１月１日公開）
【特許文献２】特開２００６−３１１３６９号公報（２００６年１１月９日公開）
【特許文献３】国際公開ＷＯ２００４／０７７６８９号（２００４年９月１０日ｓ公開）
【発明の開示】
【発明が解決しようとする課題】
【０００５】
テレビ（テレビ）セットの薄型化への障害の一つとして搭載部品の高さによる障害が有る。従来のテレビセットでは、図１０に示すように薄型パネルの画面裏側に設けられたテレビセット基板にチューナを実装しているが、チューナの厚みの分だけテレビセット全体の厚みが増すことになっており、テレビセットの薄型化の為の、チューナ自体の薄型化に対する要求は高い。尚、チューナ部をモニタ部から分離し、外部接続する方法（分離式、図示せず）があるが、該分離式ではチューナボックスの設置スペースが新たに必要となる。
【０００６】
本発明は、上記従来の問題点に鑑みなされたものであって、その目的は、テレビ放送受信機の厚みを薄く出来るチューナ及びこれを用いたテレビ放送受信機を提供する事にある。
【課題を解決するための手段】
【０００７】
本発明のチューナは、上記課題を解決するために、薄板から成り、対向する２つの板面及び前記２つの板面の間の四方を取り囲む４つの板側面を有する第１の脚片と、対向する２つの面及び前記２つの面の間の四方を取り囲む４つの側面を有する筐体と、前記筐体に内包される内部回路と、前記内部回路と前記筐体の外部に設けられる外部回路とを接続する入出力端子とを備えるチューナであって、前記第１の脚片及び前記入出力端子は、前記２つの面の一方に直交して設けられ、前記２つの板面は、前記４つの側面の少なくとも１つと平行に設けられることを特徴とする。
【０００８】
上記発明によれば、前記第１の脚片が有する前記２つの板面の１つとテレビ放送受信機のテレビセット基板の接地パターンとを面接続し、前記入出力端子と前記筐体の外部回路とを接続することにより、チューナをテレビセット基板の端縁部に実装することが可能となる。従って、前記チューナを前記テレビセット基板に基板面と平行な方向に端縁部から突出するように実装する事が可能となり、テレビ放送受信機の厚みを薄く出来る。
【０００９】
前記チューナでは、薄板から成り、前記２つの面の一方に直交して設けられる第２の脚片を備え、前記第１の脚片、前記入出力端子及び前記第２の脚片が直線上に並んでもよい。
【００１０】
これにより、前記チューナを前記テレビセット基板に実装する際の強度がより高くなり、テレビ放送受信機の厚みを薄く出来る。
【００１１】
前記チューナでは、前記２つの板面の１つとテレビ放送受信機の基板の接地パターンとを半田で固定してもよい。
【００１２】
また、前記チューナでは、前記入出力端子とテレビ放送受信機の基板の各回路パターンとを半田で接続してもよい。
【００１３】
これらの構成により、前記チューナを前記テレビセット基板に基板面と平行な方向に基板端縁部から突出するように水平に実装する事が可能となり、テレビ放送受信機の厚みを薄く出来る。
【００１４】
前記チューナでは、前記２つの板面の１つとテレビ放送受信機の基板の接地パターンとをビスで固定してもよい。
【００１５】
また、前記チューナでは、テレビ放送受信機の基板の各回路パターンが、該基板に実装されたコネクタに接続され、前記入出力端子が前記コネクタのソケットに挿入されてもよい。
【００１６】
これらの構成により、前記チューナは容易に脱着可能となる。このことから、同一の工場で仕向地または仕様の異なるテレビ放送受信機を生産する場合に脱着の容易性を活かし、ある国へ出荷するテレビ放送受信機に載せたチューナを他の国へ出荷するテレビ放送受信機へ載せ換えること、及びチューナの設計変更に対応可能となる。
【００１７】
前記チューナでは、薄板から成り、前記２つの面の一方に直交して設けられる第３の脚片を備え、前記第３の脚片と前記直線とが平行になってもよい。
【００１８】
また、前記チューナでは、前記第１の脚片と前記第３の脚片とが対向してもよい。
【００１９】
さらに、前記チューナでは、薄板から成り、前記２つの面の一方に直交して設けられる第４の脚片を備え、前記第４の脚片と前記直線とが平行になってもよい。
【００２０】
そして、前記チューナでは、前記第２の脚片と前記第４の脚片とが対向してもよい。
【００２１】
前記第３の脚片及び前記第４の脚片を、テレビ放送受信機のテレビモニタにビスで固定することにより、テレビ放送受信機は、前記第３の脚片及び前記第４の脚片により補強され、より強度の高い状態でチューナを実装することが可能となる。
【００２２】
前記チューナでは、外部からの放送信号を入力する入力端子を更に備え、前記入力端子は、前記４つの側面の少なくとも１つに設けられてもよい。
【００２３】
これにより、テレビのデザインやスペースに関する問題に対応可能となる。
【００２４】
本発明のテレビ放送受信機は、前記何れかのチューナを備えているので、テレビ放送受信機の厚みを薄く出来る。
【００２５】
上記チューナは、前記第１の脚片、前記２つの面及び前記４つの側面の内２つを１枚の板から製作し、前記第１の脚片と前記２つの面の１つとの接合面を９０度谷折りし、前記２つの面及び前記４つの側面の内２つと、前記４つの側面の１つとの接合面を９０度山折りして製造してもよい。
【００２６】
また、上記チューナは、前記第２の脚片、前記２つの面及び前記４つの側面の内２つを１枚の板から製作し、前記第２の脚片と前記２つの面の１つとの接合面を９０度谷折りし、前記２つの面及び前記４つの側面の内２つと、前記４つの側面の１つとの接合面を９０度山折りして製造してもよい。
【００２７】
さらに、上記チューナは、前記第３の脚片、前記２つの面及び前記４つの側面の内２つを１枚の板から製作し、前記第３の脚片と前記２つの面の１つとの接合面を９０度谷折りし、前記２つの面及び前記４つの側面の内２つと、前記４つの側面の１つとの接合面を９０度山折りして製造してもよい。
【００２８】
そして、上記チューナは、前記第４の脚片、前記２つの面及び前記４つの側面の内２つを１枚の板から製作し、前記第４の脚片と前記２つの面の１つとの接合面を９０度谷折りし、前記２つの面及び前記４つの側面の内２つと、前記４つの側面の１つとの接合面を９０度山折りして製造してもよい。
【００２９】
これらの方法で上記チューナを製造することにより、前記第１の脚片ないし前記第４の脚片、前記２つの面及び前記４つの側面の内２つを１枚の板から製作できるので、製造コストが安くなり、製造時間も短縮される。
【発明の効果】
【００３０】
本発明に係るチューナは、以上のように、脚片及び入出力端子は、２つの面の一方に直交して設けられ、２つの板面は、４つの側面の少なくとも１つと平行に設けられるものである。
【００３１】
それゆえ、テレビ放送受信機の厚みを薄く出来るチューナ及びこれを用いたテレビ放送受信機を提供するという効果を奏する。
【発明を実施するための最良の形態】
【００３２】
本発明の一実施形態について実施例１〜実施例４、及び図１〜図８に基づいて説明すれば、以下の通りである。
【００３３】
図１（ａ）及び図１（ｂ）は、本発明の実施の形態に係るテレビセット基板へのチューナの実装形態を示す図面である。図１（ａ）は、本発明の実施の形態に係る薄型化されたテレビセット１を裏面から見た背面図であり、図１（ｂ）は、本発明の実施の形態に係る薄型化されたテレビセット１の一方の側面から見た側面図である。
【００３４】
テレビセット１は、テレビモニタ２、テレビセット基板（マザー基板）３、チューナ４及び２つのスピーカ５を備えている。また、テレビモニタ２の画面６の裏側にテレビセット基板３が設けられ、テレビセット基板３の下の中央部分にチューナ４が設けられている。さらに、テレビセット基板３の下に、チューナ４を挟む形で２つのスピーカ５が設けられ、チューナ４及び２つのスピーカ５が水平方向（横方向）に並ぶように配置されている。そして、チューナ４は、テレビセット基板３へ実装する為のアース板面７を有している。チューナ４をテレビセット基板３とを垂直方向（縦方向）に並べて配置することによって、テレビセット１においてチューナ４が、従来のテレビセット１０１におけるチューナ１０４のようにテレビセット１０１の背面から突出することがないので、テレビセット１の厚みを薄く出来る。
【００３５】
なお、テレビセット１において、チューナ４、テレビセット基板３及びスピーカ５は、キャビネット３３により覆われている。さらに上記説明では、２つのスピーカ５をテレビセット基板３の下に設けたが、これに限定されず、テレビセット基板３の両側面、即ち左右に設けても良い。この際、図１（ａ）に示すスピーカ５の位置に電源回路等のテレビ用部品が配置されても良い。
【００３６】
〔実施例１〕
図２（ａ）、図２（ｂ）及び図２（ｃ）は、本実施例１に係るチューナ４の構造を示す図面である。図２（ａ）は、本実施例１に係るチューナ４の正面図であり、図２（ｂ）は、本実施例１に係るチューナ４の側面図であり、図２（ｃ）は、本実施例１に係るチューナ４の上面図である。
【００３７】
チューナ４は、２枚のアース板面７、接続端子８及びＡＮＴ（アンテナ）端子９を有している。チューナ４の筐体１０は、接続端子面３６、アンテナ端子面３７、第１面３８、第２面３９、第３面４０及び第４面４１で直方体に構成されている。接続端子面３６とアンテナ端子面３７とは対向するように配置され、その間の四方を取り囲むように、第１面３８、第２面３９、第３面４０及び第４面４１が配置されている。アース板面７は薄板であり、２つの板面４２及び４つの板側面４３を有している。また、アース板面７は、チューナ４の筐体１０の一部であり、チューナ４の接続端子面３６に直交して設けられており、チューナ４の内部回路のＧＮＤ（グランド）に接続されている。アース板面７をテレビセット基板３に固定することにより、チューナ４のテレビセット基板３へ実装、及びチューナ４の内部回路のＧＮＤとテレビセット基板３のＧＮＤとの接続が行われる。
【００３８】
なお、第２面３９と第４面４１とは筐体１０の一部であるが、これに限定されず、第２面３９と第４面４１とを開口面として、第２面３９にカバー４４を嵌合させ、第４面４１にカバー４５を嵌合させてもよい。
【００３９】
接続端子８は、チューナ４の内部回路３４とテレビセット基板３上の回路３５とを接続する端子であり、チューナ４をテレビセット基板３へ実装した場合にテレビセット基板３の表面１２に位置するように、チューナ４の接続端子面３６に直交して設けられている。また、接続端子８は、２つのアース板面７と共に直線Ｌ上に並ぶように設けられている。そして、ＡＮＴ端子９は、図示しないアンテナに接続され、テレビ放送信号が入力される。
【００４０】
図３及び図４は、本発明の実施例に係るチューナ４とテレビセット基板３との接続方法を示す図面である。
【００４１】
図３では、テレビセット基板３の表面１２に、ＧＮＤパターン１３及び回路パターン１４が形成されている。回路パターン１４は、テレビセット基板３上の回路３５に接続されている。アース板面７とＧＮＤパターン１３とを半田付けで固定することにより、テレビセット基板３とアース板面７とを固定している。また、接続端子８と回路パターン１４とを半田付けで固定することにより、チューナ４の内部回路とテレビセット基板３上の回路３５とが接続されている。
【００４２】
図４では、テレビセット基板３及びアース板面７にビス穴１５を設け、ビス１６を用いてビス止めすることにより、テレビセット基板３とアース板面７とを固定している。また、テレビセット基板３の表面１２にコネクタ１７が実装されており、接続端子８をコネクタ１７のソケットに挿入することにより、チューナ４の内部回路とテレビセット基板３上の回路３５とが接続されている。図４に示すように、アース板面をビス止め、各接続端子をコネクタ接続した場合、チューナ４は容易に脱着可能となる。このことから、同一の工場で仕向地または仕様の異なるテレビセットを生産する場合に脱着の容易性を活かし、ある国へ出荷するテレビセットに載せたチューナを他の国へ出荷するテレビセットへ載せ換えること、及びチューナの設計変更に対応可能となる。
【００４３】
〔実施例２〕
図５（ａ）、図５（ｂ）及び図５（ｃ）は、本実施例２に係るチューナ１８の構造を示す図面である。図５（ａ）は、本実施例２に係るチューナ１８の正面図であり、図５（ｂ）は、本実施例２に係るチューナ１８の側面図であり、図５（ｃ）は、本実施例２に係るチューナ１８の上面図である。チューナの実装に用いる部材がアース板面７のみである実施例１のチューナ４では、強度的に不十分な場合は、本実施例のチューナ１８を用いる。
【００４４】
チューナ１８は、実施例１のチューナ４に２枚の裏側アース板面１９を追加した物である。裏側アース板面１９は、アース板面７と同様にチューナ１８の筐体１０の一部であり、チューナ１８の接続端子面３６から突き出るように設けられている。また、裏側アース板面１９は、接続端子８及び２つのアース板面７による直線Ｌと平行に設けられる。さらに、裏側アース板面１９にはビス穴２０が設けられており、ビス２１を用いてビス止めすることにより、テレビモニタ２と裏側アース板面１９とを固定可能である。なお、図５（ａ）では、ｚ方向から見て裏側アース板面１９とアース板面７とが重ならないように（対向しないように）設けられているが、裏側アース板面１９とアース板面７とが重なるように設けられてもよい。
【００４５】
図６は、本実施例２に係るチューナ１８の実装形態を示す図面である。図６のテレビセット２２は、図１のテレビセット１において、チューナ４をチューナ１８に置き換えている。テレビセット２２では、アース板面７が半田付けあるいはビス止めでテレビセット基板３に固定され、裏側アース板面１９がビス止めテレビモニタ２に固定されることにより、チューナ１８が実装されている。このように、テレビセット２２は、裏側アース板面１９により補強されており、より強度の高い状態でチューナ１８を実装することが可能となる。
【００４６】
〔実施例３〕
図７（ａ）及び図７（ｂ）は、本実施例３に係るチューナ２３の構造を示す図面である。図７（ａ）は、本実施例３に係るチューナ２３の正面図であり、図７（ｂ）は、本実施例３に係るチューナ２３の側面図である。
【００４７】
これまでに述べたチューナではアンテナ端子面３７にＡＮＴ（アンテナ）端子９のみが設けられていたが、アンテナ端子面３７以外の面にもＡＮＴ端子を設けることが可能である。図７に示すように、チューナ２３は、第１面３８に第１ＡＮＴ端子２４、第２面３９に第２ＡＮＴ端子２５、第３面４０に第３ＡＮＴ端子２６及び第４面４１に第４ＡＮＴ端子２７を設けている。アンテナ端子面３７に設けられたＡＮＴ端子９と併せて５方向にＡＮＴ（アンテナ）端子が設けられている。
【００４８】
以上のように、本実施例３に係るチューナ２３は、アンテナ端子の位置を５方向に設定が可能になり、テレビのデザインやスペースに関する問題に対応可能となる。
【００４９】
〔実施例４〕
図８（ａ）は、本実施例４に係る、メインチューナ２８及びサブチューナ２９の構造を示す正面図である。図８（ｂ）は、本実施例４に係る、メインチューナ２８及びサブチューナ２９の実装形態を示す図面である。
【００５０】
チューナを２個使用する場合、従来はメインチューナのＲＦ  ＯＵＴ端子とサブチューナのＡＮＴ端子の連結にケーブルを使用していた。本実施例４に係る、メインチューナ２８及びサブチューナ２９は、２つのチューナをテレビセット基板３に接続する前に、メインチューナ２８のＲＦ  ＯＵＴ端子３０とサブチューナ２９のＡＮＴ端子３１とを直接連結し、その後図８（ｂ）のテレビセット３２に示すようにテレビセット基板３に実装することが可能である。従って、従来のチューナを２個使用する場合よりも実装が容易となる。
【００５１】
従来のチューナを２個実装する場合、ケーブルを使用せず２つのチューナのアンテナ端子を直接連結し、テレビセット基板に実装すると、片方のチューナを取り外す場合、両方のチューナの脚片がテレビセット基板の挿入孔に挿入された状態で取り外す必要がある。よって、取り外す際にテレビセット基板のスルーホール等が欠損する虞がある。
【００５２】
これに対して、本実施例４に係る、メインチューナ２８及びサブチューナ２９では、各チューナをテレビセット基板に挿入せず、アース板面７により固定する。従って、テレビセット基板のスルーホール等の欠損は大幅に減少する。また、ケーブルを使用して２つのチューナを接続する場合、ＮＦ特性、即ち雑音指数ＮＦ(Noise Figure)で示される雑音特性が劣化するという弊害が生じるが、本実施例４に係る、メインチューナ２８及びサブチューナ２９は、ケーブルを使用せず２つのチューナを直接連結しているので、ＮＦ特性が劣化することは無い。
【００５３】
なお、本実施の形態において、アース板面７及び裏側アース板面１９は、実装時の強度をより高くするため２枚用いたが、これに限定されない。十分な強度が得られるのであれば、１枚のアース板面７を用いて、またはアース板面７及び裏側アース板面をそれぞれ１枚ずつ用いてチューナを実装しても良い。
【００５４】
〔チューナの製造方法〕
本実施形態のチューナの製造方法を、図９を用いて説明する。図９（ａ）は本発明の実施の形態に係るチューナ５８の基となる板４６を示す正面図であり、図９（ｂ）は板４６を切り取り製作した筐体４７の展開図であり、図９（ｃ）は本発明の実施の形態に係るチューナ５８の斜視図である。
【００５５】
まず、図９（ａ）に示す板４６の破線部を切り取り、図９（ｂ）に示す筐体４７が製作される。
【００５６】
次に、図９（ｂ）の筐体４７において、２つのアース板面７と接続端子面３６とが接する接合面４８を９０度谷折りする。同様に、２つの裏側アース板面１９と接続端子面３６とが接する接合面４９を９０度谷折りする。
【００５７】
また、接続端子面３６と開口面である第２面３９とが接する接合面５０を９０度山折りする。同様に、アンテナ端子面３７と開口面である第２面３９とが接する接合面５１を９０度山折りし、第１面３８と開口面である第２面３９とが接する接合面５２を９０度山折りし、第３面４０と開口面である第２面３９とが接する接合面５３を９０度山折りする。
【００５８】
さらに、ＡＮＴ端子取り付け孔５４にＡＮＴ端子５５を取り付け、内部回路６０を内包させ、開口面である第２面３９にカバー５６を嵌合させ、第２面３９と対向し、且つ開口面である第４面４１にカバー５７を嵌合させることにより、チューナ５８が完成する。
【００５９】
〔実施形態の総括〕
本発明の実施形態に係るチューナ４は、薄板から成り、対向する２つの板面４２及び２つの板面４２の間の四方を取り囲む４つの板側面４３を有するアース板面７と、対向する接続端子面３６及びアンテナ端子面３７、並びに接続端子面３６及びアンテナ端子面３７の間の四方を取り囲む、第１面３８ないし第４面４１を有する筐体１０と、筐体１０に内包される内部回路３４と、内部回路３４と筐体１０の外部に設けられるテレビセット基板上の回路３５とを接続する接続端子８とを備えるチューナであって、アース板面７及び接続端子８は、接続端子面３６に直交して設けられ、２つの板面４２は、第１面３８ないし第４面４１の少なくとも１つと平行に設けられる。
【００６０】
上記発明によれば、アース板面７が有する２つの板面４２の１つとテレビセット１のテレビセット基板３のＧＮＤパターン１３とを面接続し、接続端子８と筐体１０の外部に設けられるテレビセット基板上の回路３５とを接続することにより、チューナ４をテレビセット基板３の端縁部に実装することが可能となる。従って、チューナ４をテレビセット基板３に基板面と平行な方向に端縁部から突出するように実装する事が可能となり、テレビセット１の厚みを薄く出来る。
【００６１】
チューナ４では、薄板から成り、接続端子面３６に直交して設けられるアース板面７を備え、２枚のアース板面７及び接続端子８が直線Ｌ上に並んでもよい。
【００６２】
これにより、チューナ４をテレビセット基板３に実装する際の強度がより高くなり、テレビセット１の厚みを薄く出来る。
【００６３】
チューナ４では、板面４２の１つとＧＮＤパターン１３とを半田で固定してもよい。
【００６４】
また、チューナ４では、接続端子８と回路パターン１４とを半田で接続してもよい。
【００６５】
これらの構成により、チューナ４をテレビセット基板３に基板面と平行な方向に基板端縁部から突出するように水平に実装する事が可能となり、テレビ放送受信機の厚みを薄く出来る。
【００６６】
チューナ４では、板面４２の１つとＧＮＤパターン１３とをビス１６で固定してもよい。
【００６７】
また、チューナ４では、回路パターン１４が、テレビセット基板３に実装されたコネクタ１７に接続され、接続端子８がコネクタ１７のソケットに挿入されてもよい。
【００６８】
これらの構成により、チューナ４は容易に脱着可能となる。このことから、同一の工場で仕向地または仕様の異なるテレビセットを生産する場合に脱着の容易性を活かし、ある国へ出荷するテレビセットに載せたチューナを他の国へ出荷するテレビセットへ載せ換えること、及びチューナの設計変更に対応可能となる。
【００６９】
チューナ１８では、薄板から成り、接続端子面３６に直交して設けられる裏側アース板面１９を備え、裏側アース板面１９と直線Ｌとが平行になってもよい。
【００７０】
また、チューナ１８では、アース板面７と裏側アース板面１９とが対向してもよい。
【００７１】
２枚の裏側アース板面１９を、テレビ放送受信機のテレビモニタ２にビス２１で固定することにより、テレビセット２２は、２枚の裏側アース板面１９により補強され、より強度の高い状態でチューナ１８を実装することが可能となる。
【００７２】
チューナ２３では、外部からの放送信号を入力する、第１ＡＮＴ端子２４ないし第４ＡＮＴ端子２７を更に備え、第１ＡＮＴ端子２４ないし第４ＡＮＴ端子２７は、第１面３８ないし第４面４１それぞれに設けられてもよい。
【００７３】
これにより、テレビのデザインやスペースに関する問題に対応可能となる。
【００７４】
本発明のテレビ放送受信機は、前記何れかのチューナを備えているので、テレビ放送受信機の厚みを薄く出来る。
【００７５】
チューナ５８は、アース板面７、接続端子面３６、アンテナ端子面３７、第１面３８及び第３面４０を１枚の板から製作し、アース板面７と接続端子面３６との接合面４８を９０度谷折りし、接続端子面３６と第２面３９との接合面５０、アンテナ端子面３７と第２面３９との接合面５１、第１面３８と第２面３９との接合面５２及び第３面４０と第２面３９との接合面５３を９０度山折りして製造してもよい。
【００７６】
また、チューナ５８は、裏側アース板面１９、接続端子面３６、アンテナ端子面３７、第１面３８及び第３面４０を１枚の板から製作し、裏側アース板面１９と接続端子面３６との接合面４９を９０度谷折りし、接続端子面３６と第２面３９との接合面５０、アンテナ端子面３７と第２面３９との接合面５１、第１面３８と第２面３９との接合面５２及び第３面４０と第２面３９との接合面５３を９０度山折りして製造してもよい。
【００７７】
これらの方法でチューナ５８を製造することにより、２枚のアース板面７、２枚の裏側アース板面１９、接続端子面３６、アンテナ端子面３７、第１面３８及び第３面４０を１枚の板から製作できるので、製造コストが安くなり、製造時間も短縮される。
【産業上の利用可能性】
【００７８】
本発明のチューナは、テレビ放送受信機の厚みを薄く出来るので、薄型テレビセットに好適に用いることが出来る。
【図面の簡単な説明】
【００７９】
【図１】（ａ）は、本発明の実施の形態に係る薄型化されたテレビセットを裏面から見た背面面図であり、（ｂ）は、本発明の実施の形態に係る薄型化されたテレビセットの一方の側面から見た側面図である。
【図２】（ａ）は、本発明の実施例に係るチューナの正面図であり、（ｂ）は、本発明の実施例に係るチューナの側面図であり、（ｃ）は、本発明の実施例に係るチューナの上面図である。
【図３】本発明の実施例に係るチューナとテレビセット基板との接続方法を示す図面である。
【図４】本発明の実施例に係るチューナとテレビセット基板との接続方法を示す図面である。
【図５】（ａ）は、本発明の他の実施例に係るチューナの正面図であり、（ｂ）は、本発明の他の実施例に係るチューナの側面図であり、（ｃ）は、本発明の他の実施例に係るチューナの上面図である。
【図６】本発明の他の実施例に係るチューナの実装形態を示す図面である。
【図７】（ａ）は、本発明のさらに別の実施例に係るチューナの正面図であり、（ｂ）は、本発明のさらに別の実施例に係るチューナの側面図である。
【図８】（ａ）は、本発明のさらに別の実施例に係る、メインチューナ及びサブチューナの構造を示す正面図であり、（ｂ）は、本発明のさらに別の実施例に係る、メインチューナ及びサブチューナの実装形態を示す図面である。
【図９】（ａ）は、本発明の実施の形態に係るチューナの基となる板を示す正面図であり、（ｂ）は、（ａ）の板を切り取り製作した筐体の展開図であり、（ｃ）、は本発明の実施の形態に係るチューナの斜視図である。
【図１０】（ａ）は、従来のテレビセットを裏面から見た背面図であり、（ｂ）は、従来のテレビセットの一方の側面から見た側面図である。
【符号の説明】
【００８０】
１、２２、３２  テレビセット
２  テレビモニタ
３  テレビセット基板（テレビ放送受信機の基板）
４、１８、２３、５８  チューナ
５  スピーカ
６  画面
７  アース板面（第１の脚片、第２の脚片）
８  接続端子（入出力端子）
９、３１、５５  ＡＮＴ端子
１０、４７  筐体
１２  表面
１３  ＧＮＤパターン（接地パターン）
１４  回路パターン（各回路パターン）
１５、２０  ビス穴
１６、２１  ビス
１７  コネクタ
１９  裏側アース板面（第３の脚片、第４の脚片）
２４  第１ＡＮＴ端子（入力端子）
２５  第２ＡＮＴ端子（入力端子）
２６  第３ＡＮＴ端子（入力端子）
２７  第４ＡＮＴ端子（入力端子）
２８  メインチューナ
２９  サブチューナ
３０  ＲＦ  ＯＵＴ端子
３３  キャビネット
３４、６０  内部回路
３５  テレビセット基板上の回路（筐体の外部回路）
３６  接続端子面（面）
３７  アンテナ端子面（面）
３８  第１面（側面）
３９  第２面（側面）
４０  第３面（側面）
４１  第４面（側面）
４２  板面
４３  板側面
４４、４５、５６、５７  カバー
４６  板
４８〜５３  接合面
５４  ＡＮＴ端子取り付け孔
【図１】
2009260655.tif 000003
【図２】
2009260655.tif 000004
【図３】
2009260655.tif 000005
【図４】
2009260655.tif 000006
【図５】
2009260655.tif 000007
【図６】
2009260655.tif 000008
【図７】
2009260655.tif 000009
【図８】
2009260655.tif 000010
【図９】
2009260655.tif 000011
【図１０】
2009260655.tif 000012